(57)【特許請求の範囲】
【請求項１】
一つ以上の基地局がＣｏＭＰ（Ｃｏｏｒｄｉｎａｔｅｄ  Ｍｕｌｔｉ−Ｐｏｉｎｔ）動作を行う無線通信システムにおいて端末がフィードバック情報を伝送する方法であって、
前記ＣｏＭＰ動作を行う特定隣接セルに対して制限または推奨したいＰＭＩ（Ｐｒｅｃｏｄｉｎｇ  Ｍａｔｒｉｘ  Ｉｎｄｅｘ）セット情報をサービング基地局に伝送し、
前記特定隣接セルに対して前記ＰＭＩセットを適用して算出された信号強度または干渉レベルと前記ＰＭＩセット情報を適用しなかった場合に算出された信号強度または干渉レベルとの差に該当する値である信号強度利得値または干渉レベル利得値を、前記サービング基地局に伝送すること、
を含む、ＣｏＭＰフィードバック情報伝送方法。
【請求項２】
前記信号強度または干渉レベルは、信号対干渉及び雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）値、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）、参照信号強度指示子（ＲＳＳＩ：Ｒｅｆｅｒｅｎｃｅ  Ｓｉｇｎａｌ  Ｓｔｒｅｎｇｔｈ  Ｉｎｄｉｃａｔｏｒ）、ＰＤ（Ｐｒｏｐａｇａｔｉｏｎ  Ｄｅｌａｙ）及び搬送波対干渉及び雑音比（ＣＩＮＲ：Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）値のうちいずれか一つの値で表現される、請求項１に記載のＣｏＭＰフィードバック情報伝送方法。
【請求項３】
ＣｏＭＰ（Ｃｏｏｒｄｉｎａｔｅｄ  Ｍｕｌｔｉ−Ｐｏｉｎｔ）動作を行う無線通信システムにおいて端末がフィードバック情報を伝送する方法であって、
一つ以上の隣接セルから受信した参照信号を用いて信号の強度または干渉レベルに該当する雑音及び干渉分散値を測定し、
前記測定された雑音及び干渉分散値を含む雑音及び干渉分散情報、及び前記ＣｏＭＰ動作を行う特定隣接セルに対して制限または推奨したいＰＭＩ（Ｐｒｅｃｏｄｉｎｇ  Ｍａｔｒｉｘ  Ｉｎｄｅｘ）情報を、サービング基地局に伝送すること
を含む、ＣｏＭＰフィードバック情報伝送方法。
【請求項４】
前記雑音及び干渉分散情報は、前記ＣｏＭＰ動作を行う特定隣接セルに対して制限または推奨したいＰＭＩが適用された場合における雑音及び干渉分散値と、適用されなかった場合における雑音及び干渉分散値との差値に該当する第１雑音及び干渉分散情報を含む、請求項３に記載のＣｏＭＰフィードバック情報伝送方法。
【請求項５】
前記雑音及び干渉分散情報は、前記ＣｏＭＰ動作を行わないセルに対する雑音及び干渉分散値に該当する第２雑音及び干渉分散情報をさらに含む、請求項３に記載のＣｏＭＰフィードバック情報伝送方法。
【請求項６】
前記雑音及び干渉分散情報は、前記特定隣接セルに前記制限または推奨されたＰＭＩ情報を適用して算出された値に該当する第３雑音及び干渉分散情報をさらに含む、請求項５に記載のＣｏＭＰフィードバック情報伝送方法。
【請求項７】
前記雑音及び干渉分散情報は、前記特定隣接セルに前記制限または推奨されたＰＭＩ情報を適用する前の雑音及び干渉分散値と、適用した場合の雑音及び干渉分散値との差に該当する値である、第４雑音及び干渉分散情報をさらに含む、請求項５に記載のＣｏＭＰフィードバック情報伝送方法。
【請求項８】
前記雑音及び干渉分散情報は、前記特定隣接セルに対して前記制限したいＰＭＩを適用して算出された雑音及び干渉分散値と、前記推奨したいＰＭＩを適用して算出された雑音及び干渉分散値に該当する、第５雑音及び干渉分散情報をさらに含む、請求項５に記載のＣｏＭＰフィードバック情報伝送方法。
【請求項９】
前記雑音及び干渉分散情報は、前記特定隣接セルに対して制限したいＰＭＩを適用して算出された雑音及び干渉分散値と推奨したいＰＭＩを適用して算出された雑音及び干渉分散値との差に該当する値である第６雑音及び干渉分散情報をさらに含む、請求項５に記載のＣｏＭＰフィードバック情報伝送方法。
【請求項１０】
前記雑音及び干渉分散情報は、前記ＣｏＭＰ動作を行う全体セルに対して制限または推奨されたＰＭＩ情報を適用して算出された雑音及び干渉分散値に該当する第７雑音及び干渉分散情報をさらに含む、請求項５に記載のＣｏＭＰフィードバック情報伝送方法。
【請求項１１】
前記雑音及び干渉分散情報は、前記特定隣接セルに対して前記受信したＰＭＩを適用する前における、前記ＣｏＭＰ動作を行う全体セルに対する雑音及び干渉分散値と、適用して算出された雑音及び干渉分散値との差に該当する値である、第８雑音及び分散情報をさらに含む、請求項５に記載のＣｏＭＰフィードバック情報伝送方法。
【請求項１２】
前記雑音及び干渉分散情報は、サービングセルに対する雑音及び分散値情報をさらに含む、請求項５に記載のＣｏＭＰフィードバック情報伝送方法。
【請求項１３】
前記雑音及び干渉分散情報は、前記サービングセルに対する雑音及び分散値と共に、前記ＣｏＭＰ動作を行わないセルに対する雑音及び干渉分散値、または前記特定隣接セルに前記制限または推奨されたＰＭＩ情報を適用して算出された雑音及び干渉分散値を用いて表した値の情報をさらに含む、請求項１２に記載のＣｏＭＰフィードバック情報伝送方法。
【請求項１４】
前記雑音及び干渉分散情報は、前記サービングセルに対する雑音及び分散値と共に、前記ＣｏＭＰ動作を行わないセルに対する雑音及び干渉分散値、または前記受信したＰＭＩを前記特定隣接セルに適用する前の雑音及び分散値と適用して算出された雑音及び分散値との差に該当する値を用いて表した値の情報をさらに含む、請求項１２に記載のＣｏＭＰフィードバック情報伝送方法。
【請求項１５】
無線通信システムにおいて基地局がＣｏＭＰ動作を行う方法であって、
前記基地局に対して端末が制限または推奨を希望するＰＭＩ（Ｐｒｅｃｏｄｉｎｇ  Ｍａｔｒｉｘ  Ｉｎｄｅｘ）情報、及び前記端末により測定された一つ以上の隣接セルに対する信号の強度または干渉レベルを含む雑音及び干渉分散情報を受信し、
前記受信したＰＭＩ情報及び前記雑音及び干渉分散情報に基づき、前記端末に制限または推奨するためのＰＭＩの順位を決定すること、
を含む、ＣｏＭＰ動作方法。
【請求項１６】
ＣｏＭＰ（Ｃｏｏｒｄｉｎａｔｅｄ  Ｍｕｌｔｉ−Ｐｏｉｎｔ）動作を行う無線通信システムにおいてフィードバック情報を伝送する端末装置であって、
一つ以上の隣接セルから受信した参照信号を用いて信号の強度または干渉レベルを含む雑音及び干渉分散値を測定する測定モジュールと、
前記測定された雑音及び干渉分散値を含む雑音及び干渉分散情報、及び前記ＣｏＭＰ動作を行う特定隣接セルに対して制限または推奨したいＰＭＩ（Ｐｒｅｃｏｄｉｎｇ  Ｍａｔｒｉｘ  Ｉｎｄｅｘ）情報をサービング基地局に伝送する伝送モジュールと、
を含む、端末装置。
【発明の詳細な説明】
【技術分野】
【０００１】
本発明は、無線通信システムに係り、特に、無線通信システムにおいてＣｏＭＰ動作を行う方法に関するものである。
【背景技術】
【０００２】
協力マルチポイント（Ｃｏｏｒｄｉｎａｔｅｄ  Ｍｕｌｔｉ−Ｐｏｉｎｔ：ＣｏＭＰ）システム（以下、ＣｏＭＰシステムという。）は、多重セル環境で改善されたＭＩＭＯ（Ｍｕｌｔｉｐｌｅ−Ｉｎｐｕｔ  Ｍｕｌｔｉｐｌｅ−Ｏｕｔｐｕｔ）伝送を適用することによって、セルの境界に位置するユーザの処理量を改善するためのシステムである。ＣｏＭＰシステムを適用すると、多重セル環境でセル間干渉（Ｉｎｔｅｒ−Ｃｅｌｌ  Ｉｎｔｅｒｆｅｒｅｎｃｅ）を減らすことができる。このようなＣｏＭＰシステムを用いると、端末は、多重−セル基地局（Ｍｕｌｔｉ−ｃｅｌｌ  ｂａｓｅ−ｓｔａｔｉｏｎ）から共同でデータ支援を受けることができる。
【０００３】
また、各基地局は、同一の無線周波数リソースを用いて一つ以上の端末（ＵＥ  １，ＵＥ  ２，…ＵＥ  Ｋ）に同時に支援することによってシステムの性能を向上させることができる。また、基地局は、基地局と端末間のチャネル状態情報（ＣＳＩ）に基づいて空間分割多重接続（Ｓｐａｃｅ  Ｄｉｖｉｓｉｏｎ  Ｍｕｌｔｉｐｌｅ  Ａｃｃｅｓｓ：ＳＤＭＡ）方法を行うことができる。
【０００４】
このようなＣｏＭＰ方式は、データ共有を用いた協力的ＭＩＭＯ（Ｃｏ−ＭＩＭＯ）形態のジョイントプロセシング（ＪＰ：Ｊｏｉｎｔ  Ｐｒｏｃｅｓｓｉｎｇ）と協力スケジューリング方式／ビームフォーミング方式（ＣＳ／ＣＢ：Ｃｏｏｒｄｉｎａｔｅｄ  Ｓｃｈｅｄｕｌｉｎｇ  ｓｃｈｅｍｅ／Ｂｅａｍｆｏｒｍｉｎｇ  ｓｃｈｅｍｅ）とに分類できる。
【０００５】
図１は、既存のイントラ基地局（ｉｎｔｒａ  ｅＮＢ）とインター基地局（ｉｎｔｅｒ  ｅＮＢ）のＣｏＭＰを概念的に示す図である。
【０００６】
図１を参照すると、多重セル（Ｍｕｌｔｉ  Ｃｅｌｌ）環境でイントラ基地局１１０，１２０及びインター基地局１３０が存在する。ＬＴＥ（Ｌｏｎｇ  Ｔｅｒｍ  Ｅｖｏｌｕｔｉｏｎ）において、イントラ基地局は、いくつかのセル（あるいは、セクター）からなっている。特定端末の属した基地局に属したセルは、特定端末とイントラ基地局１１０，１２０の関係にある。すなわち、端末の属したセルと同じ基地局を共有するセルは、イントラ基地局１１０，１２０に該当するセルであり、他の基地局に属するセルは、インター基地局１３０に該当するセルである。このように、特定端末と同じ基地局を基盤にしているセルは、ｘ２インターフェースなどを介して情報（例えば、データ、チャネル状態情報（ＣＳＩ：Ｃｈａｎｎｅｌ  Ｓｔａｔｅ  Ｉｎｆｏｒｍａｔｉｏｎ）をやり取りするが、他の基地局を基盤にしているセルは、バックホール１４０などを介してセル間情報をやり取りすることができる。
【０００７】
図１に示すように、単一セル内にある単一セルＭＩＭＯユーザ１５０は、あるセル（セクター）で一つのサービング基地局と通信し、セルの境界に位置している多重セルＭＩＭＯユーザ１６０は、多重セル（セクター）で多数のサービング基地局と通信することができる。
【０００８】
以下、フィードバック情報に用いられる空間チャネル行列（ｓｐａｔｉａｌ  ｃｈａｎｎｅｌ  ｍａｔｒｉｘ）について簡略に説明する。
【０００９】
【化１】
0005584708.tif 000002
ここで、Ｈ（ｉ，ｋ）は、空間チャネル行列であり、ｈｒ，ｔ（ｉ，ｋ）は、チャネル行列Ｈ（ｉ，ｋ）の要素、Ｎｒは受信アンテナ個数、Ｎｔは送信アンテナ個数、ｒは受信アンテナのインデックス、ｔは送信アンテナのインデックス、ｉはＯＦＤＭ（または、ＳＣ−ＦＤＭＡ）シンボルのインデックス、ｋは副搬送波のインデックスを表す。
【００１０】
【化２】
0005584708.tif 000003
は、チャネル行列Ｈ（ｉ，ｋ）の要素（ｅｌｅｍｅｎｔ）であり、ｉ番目のシンボル及びｋ番目の副搬送波上におけるｒ番目のチャネル状態及びｔ番目のアンテナを意味する。
また、本発明で使用可能な空間チャネル共分散行列（ｓｐａｔｉａｌ  ｃｈａｎｎｅｌ  ｃｏｖａｒｉａｎｃｅ  ｍａｔｒｉｘ）について簡略に説明する。空間チャネル共分散行列は、記号Ｒで表すことができる。
【００１１】
【化３】
0005584708.tif 000004
であり、ここで、Ｈは空間チャネル行列を、Ｒは空間チャネル共分散行列を意味する。Ｅ［］は、平均（ｍｅａｎ）を意味し、ｉはシンボルインデックス、ｋは周波数インデックスを意味する。
【００１２】
特異値分解（ＳＶＤ：Ｓｉｎｇｕｌａｒ  Ｖａｌｕｅ  Ｄｅｃｏｍｐｏｓｉｔｉｏｎ）は、長方行列を分解する重要な方法の一つで、信号処理と統計学の分野で多く用いられる手法である。特異値分解は、行列のスペクトル理論を、任意の長方行列に対して一般化したもので、スペクトル理論を用いると、直交正方行列を固有値に基づいて対角行列に分解することができる。行列Ｈを実数または複素数の集合元素からなるｍ×ｍ行列としよう。この場合、行列Ｈは、下記のように、３つの行列の積で表すことができる。
【００１３】
【化４】
0005584708.tif 000005
ここで、Ｕ、Ｖは、ユニタリー行列（ｕｎｉｔａｒｙ  ｍａｔｒｉｘ）を表し、Σは、負でない特異値を含むｍ×ｎ対角行列である。特異値は
【００１４】
【化５】
0005584708.tif 000006
である。このように３つの行列の積で表すことを、特異値分解という。特異値分解は、直交正方行列のみを分解できる固有値分解に比べてはるかに一般的な行列を扱うことができる。このような特異値分解と固有値分解は相互関連している。
【００１５】
行列Ｈが正の定符号であるエルミート行列である時、Ｈの全ての固有値は、負でない実数である。この時、Ｈの特異値と特異ベクトルは、Ｈの全ての固有値は負でない実数である。Ｈの特異値と特異ベクトルは、Ｈの固有値と固有ベクトルと同一になる。
【００１６】
一方、固有値分解（ＥＶＤ：Ｅｉｇｅｎ  Ｖａｌｕｅ  Ｄｅｃｏｍｐｏｓｉｔｉｏｎ）は、下記のように表すことができる。
【００１７】
【化６】
0005584708.tif 000007
ここで、固有値は、λ１，…，λｒになることができる。
【００１８】
今までは、端末がフィードバック情報としてＰＭＩ値のみを伝送することから、基地局でＰＭＩ値に対する順位を定め難いという面があり、このようなＰＭＩランキング問題から、ＣｏＭＰ動作を行う上で効率性及び正確性が低下するという不具合があった。
【発明の概要】
【発明が解決しようとする課題】
【００１９】
本発明が達成しようとする技術的課題は、無線通信システムにおいてＣｏＭＰ動作を行う方法及びフィードバック情報を伝送する方法を提供することである。
【００２０】
本発明が達成しようとする他の技術的課題は、無線通信システムにおいてＣｏＭＰ動作を行い、フィードバック情報を伝送する端末装置を提供することである。
【００２１】
本発明が達成しようとするさらに他の技術的課題は、無線通信システムにおいてＣｏＭＰ動作を行う基地局装置を提供することである。
【００２２】
本発明が達成しようとする技術的課題は、上記の技術的課題に制限されず、言及していない他の技術的課題は、下の記載から、本発明の属する技術の分野における通常の知識を有する者には明らかになるであろう。
【課題を解決するための手段】
【００２３】
上記の技術的課題を達成するための、本発明に係るＣｏＭＰフィードバック情報伝送方法は、前記ＣｏＭＰ動作を行う特定隣接セルに対して制限または推奨したいＰＭＩ（Ｐｒｅｃｏｄｉｎｇ  Ｍａｔｒｉｘ  Ｉｎｄｅｘ）セット情報を、サービング基地局に伝送する段階と、前記特定隣接セルに対して前記ＰＭＩセットを適用して算出された信号の強度または干渉レベルと前記ＰＭＩセット情報を適用しなかった場合に算出された信号の強度または干渉レベルとの差に該当する利得値である信号強度利得値または干渉レベル利得値を、前記サービング基地局に伝送する段階と、を含む。
【００２４】
上記の技術的課題を達成するための、本発明に係るＣｏＭＰフィードバック情報伝送方法は、一つ以上の隣接セルから受信した参照信号を用いて信号の強度または干渉レベルに該当する雑音及び干渉分散値を測定する段階と、前記測定された雑音及び干渉分散値を含む雑音及び干渉分散情報と前記ＣｏＭＰ動作を行う特定隣接セルに対して制限または推奨したいＰＭＩ（Ｐｒｅｃｏｄｉｎｇ  Ｍａｔｒｉｘ  Ｉｎｄｅｘ）情報をサービング基地局に伝送する段階と、を含む。
【００２５】
上記の技術的課題を達成するための、本発明に係る端末装置は、一つ以上の隣接セルから受信した参照信号を用いて信号の強度または干渉レベルを含む雑音及び干渉分散値を測定する測定モジュールと、前記測定された雑音及び干渉分散値を含む雑音及び干渉分散情報と前記ＣｏＭＰ動作を行う特定隣接セルに対して制限または推奨したいＰＭＩ（Ｐｒｅｃｏｄｉｎｇ  Ｍａｔｒｉｘ  Ｉｎｄｅｘ）情報をサービング基地局に伝送する伝送モジュールと、を含む。
本明細書は、例えば、以下の項目も提供する。
（項目１）
一つ以上の基地局がＣｏＭＰ（Ｃｏｏｒｄｉｎａｔｅｄ  Ｍｕｌｔｉ−Ｐｏｉｎｔ）動作を行う無線通信システムにおいて端末がフィードバック情報を伝送する方法であって、
前記ＣｏＭＰ動作を行う特定隣接セルに対して制限または推奨したいＰＭＩ（Ｐｒｅｃｏｄｉｎｇ  Ｍａｔｒｉｘ  Ｉｎｄｅｘ）セット情報をサービング基地局に伝送し、
前記特定隣接セルに対して前記ＰＭＩセットを適用して算出された信号の強度または干渉レベルと前記ＰＭＩセット情報を適用しなかった場合に算出された信号の強度または干渉レベルとの差に該当する値である信号強度利得値または干渉レベル利得値を、前記サービング基地局に伝送すること、
を含む、ＣｏＭＰフィードバック情報伝送方法。
（項目２）
前記信号強度または干渉レベルは、信号対干渉及び雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）値、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）、参照信号強度指示子（ＲＳＳＩ：Ｒｅｆｅｒｅｎｃｅ  Ｓｉｇｎａｌ  Ｓｔｒｅｎｇｔｈ  Ｉｎｄｉｃａｔｏｒ）、ＰＤ（Ｐｒｏｐａｇａｔｉｏｎ  Ｄｅｌａｙ）及び搬送波対干渉及び雑音比（ＣＩＮＲ：Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）値のうちいずれか一つの値で表現される、項目１に記載のＣｏＭＰフィードバック情報伝送方法。
（項目３）
ＣｏＭＰ（Ｃｏｏｒｄｉｎａｔｅｄ  Ｍｕｌｔｉ−Ｐｏｉｎｔ）動作を行う無線通信システムにおいて端末がフィードバック情報を伝送する方法であって、
一つ以上の隣接セルから受信した参照信号を用いて信号の強度または干渉レベルに該当する雑音及び干渉分散値を測定し、
前記測定された雑音及び干渉分散値を含む雑音及び干渉分散情報、及び前記ＣｏＭＰ動作を行う特定隣接セルに対して制限または推奨したいＰＭＩ（Ｐｒｅｃｏｄｉｎｇ  Ｍａｔｒｉｘ  Ｉｎｄｅｘ）情報を、サービング基地局に伝送すること
を含む、ＣｏＭＰフィードバック情報伝送方法。
（項目４）
前記雑音及び干渉分散情報は、前記ＣｏＭＰ動作を行う特定隣接セルに対して制限または推奨したいＰＭＩが適用された場合における雑音及び干渉分散値と、適用されなかった場合における雑音及び干渉分散値との差値に該当する第１雑音及び干渉分散情報を含む、項目３に記載のＣｏＭＰフィードバック情報伝送方法。
（項目５）
前記雑音及び干渉分散情報は、前記ＣｏＭＰ動作を行わないセルに対する雑音及び干渉分散値に該当する第２雑音及び干渉分散情報をさらに含む、項目３に記載のＣｏＭＰフィードバック情報伝送方法。
（項目６）
前記雑音及び干渉分散情報は、前記特定ＣｏＭＰ隣接セルに前記制限または推奨されたＰＭＩ情報を適用して算出された値に該当する第３雑音及び干渉分散情報をさらに含む、項目５に記載のＣｏＭＰフィードバック情報伝送方法。
（項目７）
前記雑音及び干渉分散情報は、前記特定ＣｏＭＰ隣接セルに前記制限または推奨されたＰＭＩ情報を適用する前の雑音及び干渉分散値と、適用した場合の雑音及び干渉分散値との差に該当する値である、第４雑音及び干渉分散情報をさらに含む、項目５に記載のＣｏＭＰフィードバック情報伝送方法。
（項目８）
前記雑音及び干渉分散情報は、前記特定ＣｏＭＰ隣接セルに対して前記制限したいＰＭＩを適用して算出された雑音及び干渉分散値と、前記推奨したいＰＭＩを適用して算出された雑音及び干渉分散値に該当する、第５雑音及び干渉分散情報をさらに含む、項目５に記載のＣｏＭＰフィードバック情報伝送方法。
（項目９）
前記雑音及び干渉分散情報は、前記特定ＣｏＭＰ隣接セルに対して制限したいＰＭＩを適用して算出された雑音及び干渉分散値と推奨したいＰＭＩを適用して算出された雑音及び干渉分散値との差に該当する値である第６雑音及び干渉分散情報をさらに含む、項目５に記載のＣｏＭＰフィードバック情報伝送方法。
（項目１０）
前記雑音及び干渉分散情報は、前記ＣｏＭＰ動作を行う全体セルに対して制限または推奨されたＰＭＩ情報を適用して算出された雑音及び干渉分散値に該当する第７雑音及び干渉分散情報をさらに含む、項目５に記載のＣｏＭＰフィードバック情報伝送方法。
（項目１１）
前記雑音及び干渉分散情報は、前記特定ＣｏＭＰ隣接セルに対して前記受信したＰＭＩを適用する前における、前記ＣｏＭＰ動作を行う全体セルに対する雑音及び干渉分散値と、適用して算出された雑音及び干渉分散値との差に該当する値である、第８雑音及び分散情報をさらに含む、項目５に記載のＣｏＭＰフィードバック情報伝送方法。
（項目１２）
前記雑音及び干渉分散情報は、サービングセルに対する雑音及び分散値情報をさらに含む、項目５に記載のＣｏＭＰフィードバック情報伝送方法。
（項目１３）
前記雑音及び干渉分散情報は、前記サービングセルに対する雑音及び分散値と共に、前記ＣｏＭＰ動作を行わないセルに対する雑音及び干渉分散値、または前記特定ＣｏＭＰ隣接セルに前記制限または推奨されたＰＭＩ情報を適用して算出された雑音及び干渉分散値を用いて表した値の情報をさらに含む、項目１２に記載のＣｏＭＰフィードバック情報伝送方法。
（項目１４）
前記雑音及び干渉分散情報は、前記サービングセルに対する雑音及び分散値と共に、前記ＣｏＭＰ動作を行わないセルに対する雑音及び干渉分散値、または前記受信したＰＭＩを前記特定ＣｏＭＰ隣接セルに適用する前の雑音及び分散値と適用して算出された雑音及び分散値との差に該当する値を用いて表した値の情報をさらに含む、項目１２に記載のＣｏＭＰフィードバック情報伝送方法。
（項目１５）
無線通信システムにおいて基地局がＣｏＭＰ動作を行う方法であって、
前記基地局に対して前記端末が制限または推奨を希望するＰＭＩ（Ｐｒｅｃｏｄｉｎｇ  Ｍａｔｒｉｘ  Ｉｎｄｅｘ）情報、及び前記端末により測定された一つ以上の隣接セルに対する信号の強度または干渉レベルを含む雑音及び干渉分散情報を受信し、
前記受信したＰＭＩ情報及び前記雑音及び干渉分散情報に基づき、前記端末に制限または推奨するためのＰＭＩの順位情報を生成すること、
を含む、ＣｏＭＰ動作方法。
（項目１６）
ＣｏＭＰ（Ｃｏｏｒｄｉｎａｔｅｄ  Ｍｕｌｔｉ−Ｐｏｉｎｔ）動作を行う無線通信システムにおいてフィードバック情報を伝送する端末装置であって、
一つ以上の隣接セルから受信した参照信号を用いて信号の強度または干渉レベルを含む雑音及び干渉分散値を測定する測定モジュールと、
前記測定された雑音及び干渉分散値を含む雑音及び干渉分散情報、及び前記ＣｏＭＰ動作を行う特定隣接セルに対して制限または推奨したいＰＭＩ（Ｐｒｅｃｏｄｉｎｇ  Ｍａｔｒｉｘ  Ｉｎｄｅｘ）情報をサービング基地局に伝送する伝送モジュールと、
を含む、端末装置。
【発明の効果】
【００２６】
本発明によれば、端末及び基地局は、ＣｏＭＰ動作をより效率的に行うことができる。
【００２７】
本発明から得られる効果は、以上で言及した効果に制限されず、言及していない他の効果は、下の記載から、本発明の属する技術の分野における通常の知識を有する者には明らかであろう。
【図面の簡単な説明】
【００２８】
本発明に関する理解を助けるために詳細な説明の一部として含まれる添付図面は、本発明の実施例を提供し、詳細な説明と共に本発明の技術的思想を説明する。
【図１】既存のイントラ基地局（ｉｎｔｒａ  ｅＮＢ）とインター基地局（ｉｎｔｅｒｅ  ＮＢ）のＣｏＭＰを概念的に示す図である。
【図２】移動通信システムの一例である３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）システムに用いられる物理チャネル及びこれらを用いた一般的な信号伝送方法を説明するための図である。
【図３】本発明に係る端末及び基地局がＣｏＭＰ動作を行う概念を説明するための図である。
【図４】本発明に係る端末装置の好適な実施例を示す構成図である。
【発明を実施するための形態】
【００２９】
以下、本発明の好適な実施の形態を、添付の図面を参照しつつ詳細に説明する。添付の図面と共に以下に開示される詳細な説明は、本発明の例示的な実施の形態を説明するためのもので、本発明が実施されうる唯一の実施の形態を示すためのものではない。以下の詳細な説明は、本発明の完全な理解を提供するために具体的な細部事項を含む。しかし、当業者には、本発明がそれらの具体的な細部事項なしにも実施可能であるということが理解できる。例えば、以下の詳細な説明は、移動通信システムが３ＧＰＰ  ＬＴＥシステムであるとして具体的に説明するが、３ＧＰＰ  ＬＴＥ特有の事項を除いては、他の任意の移動通信システムにも適用可能である。
【００３０】
場合によっては、本発明の概念が曖昧になることを避けるために、公知の構造及び装置を省略したり、各構造及び装置の核心機能を中心にしたブロック図の形式にしたりすることができる。また、本明細書の全体を通じて同一の構成要素には同一の図面符号を付する。
【００３１】
なお、以下の説明において、端末（または、ユーザ機器）は、ＵＥ（Ｕｓｅｒ  Ｅｑｕｉｐｍｅｎｔ）、ＭＳ（Ｍｏｂｉｌｅ  Ｓｔａｔｉｏｎ）などを含め、移動または固定型のユーザ端の機器を総称するものとする。また、基地局は、Ｎｏｄｅ  Ｂ、ｅＮｏｄｅ  Ｂ、Ｂａｓｅ  Ｓｔａｔｉｏｎなどを含め、端末と通信するネットワーク端の任意のノードを総称するものとする。
【００３２】
移動通信システムにおいて、端末（Ｕｓｅｒ  Ｅｑｕｉｐｍｅｎｔ）は、基地局からダウンリンク（Ｄｏｗｎｌｉｎｋ）を通じて情報を受信することができ、端末はまた、アップリンク（Ｕｐｌｉｎｋ）を通じて情報を伝送することができる。端末が伝送または受信する情報には、データ及び様々な制御情報があり、端末が伝送または受信する情報の種類・用途に応じて様々な物理チャネルが存在する。
【００３３】
図２は、移動通信システムの一例である３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）システムに用いられる物理チャネル及びこれらを用いた一般の信号伝送方法を説明するための図である。
【００３４】
電源が消えた状態で再び電源がついたり、新しくセルに進入したりした端末は、段階Ｓ２０１において、基地局と同期を合わせる等の初期セル探索（Ｉｎｉｔｉａｌ  ｃｅｌｌ  ｓｅａｒｃｈ）作業を行う。このために、端末は基地局からプライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を合わせ、セルＩＤなどの情報を獲得することができる。その後、端末は、基地局から物理放送チャネル（Ｐｈｙｓｉｃａｌ  Ｂｒｏａｄｃａｓｔ  Ｃｈａｎｎｅｌ）を受信してセル内の放送情報を獲得できる。一方、端末は、初期セル探索段階においてダウンリンク参照信号（Ｄｏｗｎｌｉｎｋ  Ｒｅｆｅｒｅｎｃｅ  Ｓｉｇｎａｌ：ＤＬ  ＲＳ）を受信し、ダウンリンクチャネル状態を確認することができる。
【００３５】
初期セル探索を終えた端末は、段階Ｓ２０２において、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）及び該物理ダウンリンク制御チャネル情報に対応する物理ダウンリンク共有チャネル（ＰＤＳＣＨ：Ｐｈｙｓｉｃａｌ  Ｄｏｗｎｌｉｎｋ  ｓｈａｒｅｄ  Ｃｈａｎｎｅｌ）を受信して、より具体的なシステム情報を獲得することができる。
【００３６】
一方、基地局に最初に接続したり信号伝送のための無線リソースがない場合、端末は基地局に、段階Ｓ２０３乃至段階Ｓ２０６のようなランダムアクセス手順（Ｒａｎｄｏｍ  Ａｃｃｅｓｓ  Ｐｒｏｃｅｄｕｒｅ）を行うことができる。このために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を通じて特定シーケンスをプリアンブルとして伝送し（Ｓ２０３）、ＰＤＣＣＨ及びこれに対応するＰＤＳＣＨを通じて、上記ランダムアクセスに対する応答メッセージを受信することができる（Ｓ２０４）。ハンドオーバー（Ｈａｎｄｏｖｅｒ）の場合を除いた競合ベースランダムアクセスの場合は、以降、追加のＰＲＡＣＨの伝送（Ｓ２０５）、及びＰＤＣＣＨ／ＰＤＳＣＨの受信（Ｓ２０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００３７】
以上の手順を行った端末は、以降、一般的なアップリンク／ダウンリンク信号伝送手順として、ＰＤＣＣＨ／ＰＤＳＣＨの受信（Ｓ２０７）及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）／物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の伝送（Ｓ２０８）を行うことができる。この時、端末がアップリンクを通じて基地局に伝送するまたは端末が基地局から受信する制御情報には、ダウンリンク／アップリンクＡＣＫ／ＮＡＣＫ信号、チャネル品質指示子（Ｃｈａｎｎｅｌ  Ｑｕａｌｉｔｙ  Ｉｎｄｉｃａｔｏｒ、ＣＱＩ）／プリコーディング行列インデックス（Ｐｒｅｃｏｄｉｎｇ  Ｍａｔｒｉｘ  Ｉｎｄｅｘ、ＰＭＩ）／ランク指示子（Ｒａｎｋ  Ｉｎｄｉｃａｔｏｒ、ＲＩ）などが含まれる。３ＧＰＰ  ＬＴＥシステムにおいて、端末は、これらＣＱＩ、ＰＭＩ、ＲＩなどの制御情報をＰＵＳＣＨ及び／またはＰＵＣＣＨを通じて伝送することができる。
【００３８】
本発明でいう基地局という用語は、地域的な概念として用いられる場合、セルまたはセクターとも呼ばれる。サービング基地局（または、セル）は、端末に主要サービスを提供する基地局（または、セル）ということができ、協力多重伝送ポイント（ｃｏｏｒｄｉｎａｔｅｄ  ｍｕｌｔｉｐｌｅ  ｔｒａｎｓｍｉｓｓｉｏｎ  ｐｏｉｎｔ）上で制御情報の送受信を行うことができる。これにちなんで、サービング基地局（または、セル）はアンカー基地局（または、セル）（ａｎｃｈｏｒ  ｃｅｌｌ）と称することもできる。サービング基地局は、端末から受信した各種情報を隣接基地局（セル）に伝送できる。同様に、隣接基地局は、地域的な概念として用いられる場合、隣接セルとも呼ばれる。一つのＣｏＭＰセットは、ＣｏＭＰ動作を行うセルの集合のことをいう。
【００３９】
多重セル環境下でＣｏＭＰ方式を用いることによって、セル境界にある端末の通信性能を改善することができる。このようなＣｏＭＰ方式には、データ共有を用いた協力的ＭＩＭＯ形態のジョイントプロセシング（ＪＰ：Ｊｏｉｎｔ  Ｐｒｏｃｅｓｓｉｎｇ）と、ｗｏｒｓｔ  ｃｏｍｐａｎｉｏｎ、ｂｅｓｔ  ｃｏｍｐａｎｉｏｎのように、セル間干渉を減らすための協力スケジューリング／ビームフォービング（ＣＳ／ＣＢ：Ｃｏｏｒｄｉｎａｔｅｄ  Ｓｃｈｅｄｕｌｉｎｇ／Ｂｅａｍｆｏｒｍｉｎｇ）方式などがある。ここで、ｗｏｒｓｔ  ｃｏｍｐａｎｉｏｎ方式は、端末がＣｏＭＰを行うセルに対して最も干渉の大きいＰＭＩをサービング基地局に報告することによって、該当のセルがそれらに該当するＰＭＩを除いた次善のＰＭＩを使用してセル間干渉を除去できる方法である。Ｂｅｓｔ  ｃｏｍｐａｎｉｏｎ方式は、端末がＣｏＭＰを行うセルに対して最も干渉の少ないＰＭＩを報告することによって、該当のセルがそれらに該当するＰＭＩを使用することによってセル間干渉を減らす方法である。
【００４０】
このようなＣｏＭＰ動作方式を效率的に行うためには、端末が隣接セルに対して干渉レベル（または、信号の強度）などを測定した測定情報（ｍｅａｓｕｒｅｍｅｎｔ  ｉｎｆｏｒｍａｔｉｏｎ）と、サービング基地局などに伝送するためのフィードバック情報について定義する必要がある。すなわち、ＣｏＭＰ動作において端末の測定手順及びＣｏＭＰアクティブセット（ＣｏＭＰ  Ａｃｔｉｖｅ  Ｓｅｔ）を介した全体的な動作手順を定義することによって、効率的なＣｏＭＰ動作を行うことができる。ここで、ＣｏＭＰアクティブセットとは、特定端末をサービングし、実際にＣｏＭＰ伝送が行われる伝送ポイントセットのことをいう。
【００４１】
ＣｏＭＰ動作方式のうち、協力スケジューリング及びビームフォーミング（ＣＳ／ＣＢ）方式で動作する場合、端末は、ＣｏＭＰ動作を行う隣接セル（以下、‘ＣｏＭＰ隣接セル’と略す。）に対し制限及び／または推奨したいＰＭＩ情報を、サービング基地局に伝送することができる。多数の端末がＣｏＭＰ動作を行う場合、ＣｏＭＰ隣接セルに対して制限及び／または推奨したいＰＭＩ情報が多くなると、該当のＣｏＭＰ隣接セルは、受信したＰＭＩ情報の中から、制限及び／または推奨できるＰＭＩを選択することが好ましい。したがって、端末のＰＭＩ制限及び／または推奨要請を受けたＣｏＭＰ隣接セルは、制限及び／または推奨するＰＭＩの順位（ｒａｎｋｉｎｇ）を決定できる。このように、ＣｏＭＰ隣接セルは、当該受信した制限または／及び推奨ＰＭＩ情報を用いて制限及び／または推奨するＰＭＩの順位を決定できる。しかし、ＣｏＭＰ隣接セルが受信したＰＭＩ情報のみを用いてＰＭＩ制限及び／または推奨要請に対するＰＭＩを決定することは好ましくない。
【００４２】
したがって、本発明では、ＣｏＭＰ隣接セルがＰＭＩ順位を效率的に決定できるようにする方法を提案する。提案する方法の一つとして、端末は、ＣｏＭＰ動作を行うサービング基地局に、ＰＭＩ情報だけでなく、その他の追加情報を伝送する方法を考慮できる。端末は、このような追加情報を、１）ＣｏＭＰセットを構成する時、２）ＣｏＭＰ動作においてＰＭＩ情報を伝送する時などに伝送することができる。
【００４３】
まず、ＣｏＭＰセット構成時に端末が追加情報を伝送する方法について説明する。
【００４４】
ＣｏＭＰセットは、端末が隣接セルに対して測定した干渉レベル（あるいは、信号強度）などの測定情報に基づいて構成されてよい。ＣｏＭＰセット構成は、端末測定に基づいて実際端末に直接的な影響を及ぼす隣接セルに対してＣｏＭＰセットを構成することによって、ＣｏＭＰセット構成に柔軟性を有することができるというメリットがある。端末は、隣接セルリストに基づいて隣接セルに対する干渉レベルなどの測定を行うことができる。この場合、端末は、隣接セルリストをＣｏＭＰセット構成のためにあらかじめサービング基地局などから受け取ることができる。または、端末が直接隣接セルに対する測定を通じて隣接セルリストを形成することもできる。
【００４５】
端末がＣｏＭＰセット構成のために隣接セルに対して測定する干渉レベル（あるいは、信号の強度）などに関する測定情報は、様々な形態の値で表現可能である。これら様々な形態の値の例には、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）、参照信号強度指示子（ＲＳＳＩ：Ｒｅｆｅｒｅｎｃｅ  Ｓｉｇｎａｌ  Ｓｔｒｅｎｇｔｈ  Ｉｎｄｉｃａｔｏｒ）、ＰＤ（Ｐｒｏｐａｇａｔｉｏｎ  Ｄｅｌａｙ）、隣接セルが良好なＰＭＩ（ｇｏｏｄ  ＰＭＩ）または不良なＰＭＩ（ｂａｄ  ＰＭＩ）を用いた場合に測定された隣接セルに対する搬送波対干渉及び雑音比（ＣＩＮＲ：Ｃａｒｒｉｅｒ  ｔｏ  Ｉｎｔｅｒｆｅｒｅｎｃｅ  ｐｌｕｓ  Ｎｏｉｓｅ  Ｒａｔｉｏ）値または信号対干渉及び雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）値、隣接セルが良好なＰＭＩを使用したり不良なＰＭＩ（ｂａｄ  ＰＭＩ）を使用しない場合に測定されたＣＩＮＲ値またはＳＩＮＲ値とその以前に測定されたＣＩＮＲ値またはＳＩＮＲ値との差などを比較して、サービングセルのチャネル状態がある程度改善されたかを知らせるサービングセルに対して改善されたＣＩＮＲ値またはＳＩＮＲ値などがある。これらのうち、特に、改善されたＣＩＮＲ値またはＳＩＮＲ値は、隣接セルでＰＭＩ順位を決定するのに役立つことができる。端末は、隣接セルで端末が推奨した良好なＰＭＩを使用したり、制限した不良なＰＭＩを使用しない場合に測定されたＣＩＮＲ値またはＳＩＮＲ値と、制限及び／または推奨したＰＭＩを適用する前に測定されたＣＩＮＲ値またはＳＩＮＲ値との差に該当する値を生成して基地局に伝送することができる。サービング基地局からこの情報を受信した隣接セルは、ＣＩＮＲ値またはＳＩＮＲ値の差値に基づいてチャネル状態の改善程度が把握できるため、容易にＰＭＩ順位を決定することができる。
【００４６】
このように、ＬＴＥシステムにおいて、端末は、パイロット信号の電力に該当する改善されたＣＩＮＲ値またはＳＩＮＲ値、参照信号受信電力（ＲＳＲＰ）などを用いて端末自身及びセル間のチャネル品質状態を測定することができる。ここで、参照信号受信電力とは、考慮された測定周波数帯域幅内でセル−特定（ｃｅｌｌ−ｓｐｅｃｉｆｉｃ）参照信号が割り当てられたリソース要素に分配された電力を線形平均したものをいう。リソースブロック上の各リソース要素の電力は、巡回プレフィックス（Ｃｙｃｌｉｃ  Ｐｒｅｆｉｘ、ＣＰ）を除いたシンボルの有効な区間から受信したエネルギーによって決定することができる。このような、参照信号受信電力は、端末のＲＲＣ＿ｉｄｌｅ状態、ＲＲＣ＿ｃｏｎｎｅｃｔｅｄ状態の両方において端末に適用可能である。また、端末によって受信機ダイバーシティが利用される場合、報告された値は、全てのダイバーシティブランチ（ｄｉｖｅｒｓｉｔｙ  ｂｒａｎｃｈ）の電力値の線形平均と均等になる。
【００４７】
端末は、ＣｏＭＰ隣接セルに対して制限及び／または推奨したいＰＭＩ情報に加えて、上述した様々な形態の測定値をサービング基地局にさらに伝送することができる。一方、端末は、ＣｏＭＰセット構成時に追加伝送される上記様々な形態の測定値を、ＣｏＭＰ動作中にもサービング基地局に伝送することができ、ＣｏＭＰ動作中にＣｏＭＰ隣接セルに対する干渉レベルなどの測定を再び行って、上記の様々な形態の測定値をサービング基地局に伝送することができる。
【００４８】
このような端末の隣接セルに対する測定（例えば、参照信号受信電力の測定）に基づき、端末は、ＣｏＭＰセットを構成するのに必要な情報をサービング基地局に報告することができる。サービング基地局に報告される情報は、上述した隣接セルの測定値のうちの一つまたはそれ以上の値と共に該当の隣接セルのセルＩＤ情報を含むことができる。端末が直接隣接セルリストを形成する場合、端末は、測定した該当の隣接セルに関するセルＩＤ情報を直接リストに載せることができる。
【００４９】
サービング基地局があらかじめ、隣接セルに対するリストを端末に提供する場合、端末は、あらかじめ定義されたセルＩＤの順に、該当のセルに対して測定したＲＳＲＰ値などを伝送したり、該測定値の他に、セルＩＤに該当するインデックスをさらに含めてサービング基地局に伝送したりすることができる。または、端末は、セルＩＤに該当するインデックス情報を干渉レベルなどの順に整列し、インデックスとインデックスに対応する測定値である干渉レベルなどをサービング基地局に伝送することができる。
【００５０】
サービング基地局は、端末がＣｏＭＰ隣接セルに対して制限及び／または推奨を希望するＰＭＩ情報及び干渉レベル情報を、端末から受信することができる。そして、サービング基地局は、受信したＰＭＩ情報及び干渉レベル情報をＣｏＭＰ隣接セルに伝送することができる。このような情報を受信したＣｏＭＰ隣接セルは、端末が制限及び／または推奨を希望するＰＭＩ情報及び干渉レベル情報を用いて、制限及び／または推奨しようとするＰＭＩを決定でき、決定されたＰＭＩに対してＰＭＩ順位情報を生成することができる。この時、ＣｏＭＰ隣接セルは、干渉レベル情報無しでＰＭＩカウント（ｃｏｕｎｔｉｎｇ）のみによって制限及び／または推奨しようとするＰＭＩを決定することもできる。すなわち、ＣｏＭＰ特定隣接セルに対して制限及び／または推奨されたＰＭＩ個数に基づいてＰＭＩ順位を決定できる。しかし、もし、ＣｏＭＰを行う端末の数が少ない、または、ＣｏＭＰ隣接セルに対して制限及び／または推奨することを要請するＰＭＩをカウンティングした個数が同一であれば、いずれのＰＭＩを選択すればいいのか、その基準が曖昧になることがある。それにもかかわらず、ＣｏＭＰ隣接セルは、最も多く制限及び／または推奨要請を受けたＰＭＩを決定することによって、端末及び基地局が追加的にフィードバック情報を伝送するのに伴うオーバーヘッド負担を軽減することができる。
【００５１】
ＣｏＭＰ動作のうち、ＰＭＩ情報及び追加情報を伝送する場合を説明する。
【００５２】
ＣｏＭＰセットを構成したり、ＣｏＭＰセットの構成なくＣｏＭＰ動作を行う場合、端末は、干渉が及ぶ隣接セルに対して制限及び／または推奨したいＰＭＩを選択し、サービング基地局に伝送することができる。端末が、ＣｏＭＰ動作を行う上で協力スケジューリング方式を行うためにＰＭＩを伝送する時、サービング基地局は、ＣｏＭＰセット構成時に端末から受信した干渉レベル情報などを用いて、ＰＭＩ順位を決定する問題を解決することができる。すなわち、端末がＣｏＭＰセット構成時に測定した隣接セルに対する干渉レベル情報などを利用する場合には、ＣｏＭＰ動作中に隣接セルに対するＰＭＩ情報のみをサービング基地局に伝送することができる。こうすると、少ないフィードバックオーバーヘッドでＰＭＩ順位決定問題を解決することができる。
【００５３】
一方、端末は、ＣｏＭＰ動作中に、ＣｏＭＰ隣接セルに対するＰＭＩ情報の他、干渉レベル情報などを共に伝送することができる。ＣｏＭＰセット構成時に報告された干渉レベル情報（もし、ＣｏＭＰセットを構成しないＣｏＭＰシステムの場合は、初期関連情報）の場合、経時変化する干渉レベルなどが正確に反映されない場合もある。したがって、端末は、ＰＭＩ情報及び干渉レベル情報などを共に伝送することによって、このような問題を解決することができる。この時、端末は、ＰＭＩ情報及び干渉レベル情報などを同一の伝送周期で伝送することもでき、異なる伝送周期で伝送することもできる。
【００５４】
追加的に伝送される干渉レベル情報は、様々な形態の測定値で表現されてよい。これは、ＣｏＭＰセット構成時に端末が隣接セルに対して測定する測定値と同じ形態でよい。例えば、上述した通り、参照信号受信電力（ＲＳＲＰ）、参照信号受信品質（ＲＳＲＱ）、参照信号強度指示子（ＲＳＳＩ）、ＰＤ、隣接セルが良好なＰＭＩまたは不良なＰＭＩを利用した場合に測定された隣接セルに対する搬送波対干渉及び雑音比（ＣＩＮＲ）値または信号対干渉及び雑音比（ＳＩＮＲ）値、隣接セルが良好なＰＭＩを使用したり、不良なＰＭＩを使用しない場合に測定されたＣＩＮＲ値またはＳＩＮＲ値とその以前に測定されたＣＩＮＲ値またはＳＩＮＲ値との差などを比較して、サービングセルのチャネル状態がある程度改善されたかを知らせるサービングセルに対して改善されたＣＩＮＲ値またはＳＩＮＲ値などがある。ながても特に、改善されたＣＩＮＲ値またはＳＩＮＲ値は、隣接セルでＰＭＩ順位を決定するのに役立つことができる。端末は、隣接セルで端末が推奨した良好なＰＭＩを使用したり、制限した不良なＰＭＩを使用しない場合に測定されたＣＩＮＲ値またはＳＩＮＲ値と、制限及び／または推奨したＰＭＩを適用する前に測定されたＣＩＮＲ値またはＳＩＮＲ値との差に該当する値を測定及び生成し、それを基地局に伝送することができる。サービング基地局からこの情報を受信した隣接セルは、ＣＩＮＲ値またはＳＩＮＲ値の差値に基づいてチャネル状態の改善程度を把握できるため、容易にＰＭＩ順位を決定することができる。このように、端末は、隣接セルに報告されたＰＭＩセットが隣接セルに適用された場合と適用されなかった場合における干渉レベル差を測定して、サービング基地局に報告することができる。
【００５５】
ＣｏＭＰ動作中に端末がＰＭＩ情報及び干渉レベル情報（あるいは、関連情報）を伝送する方法の他に、ＰＭＩ情報、及び雑音及び干渉分散（ｎｏｉｓｅ  ｐｌｕｓ  ｉｎｔｅｒｆｅｒｅｎｃｅ  ｖａｒｉａｎｃｅ）情報を伝送する方法を考慮できる。すなわち、ＣｏＭＰ隣接セルがＰＭＩ順位を決定するのに役立てるために、端末は、ＰＭＩ情報とともに雑音及び干渉分散情報を伝送し、ＣｏＭＰ隣接セルは、效率的に制限及び／または推奨することを希望するＰＭＩを選択でき、さらにはＰＭＩ順位を決定することができる。
【００５６】
以下、フィードバック情報伝送方法として、端末がサービング基地局にＰＭＩ情報及び雑音及び干渉分散情報を伝送する方法について説明する。まず、端末が測定して伝送するフィードバック情報に関する定義について説明する。
【００５７】
【化７】
0005584708.tif 000008
は、端末がサービングセルに対して選択したＰＭＩ、
【００５８】
【化８】
0005584708.tif 000009
は、端末がサービングセルに対して測定した雑音及び干渉分散（サービングセル信号の強度を意味できる。）、
【００５９】
【化９】
0005584708.tif 000010
は、端末がＣｏＭＰ動作を行う各隣接セルに対して制限及び／または推奨を希望するＰＭＩ、
【００６０】
【化１０】
0005584708.tif 000011
は、ＣｏＭＰ動作を行わない残りのセルに対する雑音及び干渉分散、
【００６１】
【化１１】
0005584708.tif 000012
は、ＣｏＭＰ動作を行う各隣接セルで制限及び／または推奨ＰＭＩが適用された時における該当の隣接セルの雑音及び干渉分散（該当の隣接セルにおける信号の強度または干渉の強度）、
【００６２】
【化１２】
0005584708.tif 000013
は、ＣｏＭＰ動作を行う各隣接セルで制限及び／または推奨するＰＭＩが適用された時と適用されなかった時における該当の隣接セルの雑音及び干渉分散変化量（該当の隣接セルにおける信号の強度の変化量または干渉の強度の変化量）である。そして、
【００６３】
【化１３】
0005584708.tif 000014
は、ＣｏＭＰ動作を行う各隣接セルに対して制限ＰＭＩが適用された時における該当の隣接セルの雑音及び干渉分散であり、
【００６４】
【化１４】
0005584708.tif 000015
は、各ＣｏＭＰ動作を行う隣接セルに対して推奨ＰＭＩが適用された時における該当の隣接セルの雑音及び干渉分散であり、
【００６５】
【化１５】
0005584708.tif 000016
は、ＣｏＭＰ動作を行う各隣接セルに対して制限ＰＭＩが適用された時と適用されなかった時における差値（該当の隣接セルにおける雑音及び干渉分散変化量）であり、
【００６６】
【化１６】
0005584708.tif 000017
は、各ＣｏＭＰ動作を行う隣接セルに対して推奨ＰＭＩが適用された時と適用されなかった時における差値（該当の隣接セルにおける雑音及び干渉分散変化量）であり、
【００６７】
【化１７】
0005584708.tif 000018
は、各ＣｏＭＰ動作を行う隣接セルで制限及び／または推奨ＰＭＩが適用された時に端末が測定できる全体セルに対する雑音及び干渉分散値であり、
【００６８】
【化１８】
0005584708.tif 000019
は、各ＣｏＭＰ動作を行う該当の隣接セルで制限及び／または推奨ＰＭＩが適用された時と適用されなかった時に端末が測定できる全体セルに対する雑音及び干渉分散の変化量である。以下、より具体的に、端末がサービング基地局に伝送する雑音及び干渉分散値の形態によって区別されるフィードバック情報伝送例を説明する。
【００６９】
一つの雑音及び干渉分散情報伝送方法として、セルの境界に位置している端末はサービング基地局に、ＣｏＭＰ動作を行うＣｏＭＰ隣接セルに対して制限及び／または推奨したいＰＭＩ情報を、ＣｏＭＰ動作を行わない残りのセルに対する雑音及び干渉分散情報と共に伝送することができる。
【００７０】
他の雑音及び干渉分散情報伝送方法として、端末は、ＣｏＭＰ隣接セルに対して制限及び／または推奨したいＰＭＩ情報とＣｏＭＰ動作を行わない残りのセルに対する雑音及び干渉分散
【００７１】
【化１９】
0005584708.tif 000020
に加えて、ＣｏＭＰ隣接セルに制限または推奨ＰＭＩが適用された時における雑音及び干渉分散値
【００７２】
【化２０】
0005584708.tif 000021
をさらに伝送することができる（ここで、Ｎは、ＣｏＭＰ動作を行うセルのうち、干渉を与えているセルのインデックスを意味する）。
【００７３】
【化２１】
0005584708.tif 000022
値は、特定ＣｏＭＰ隣接セルに限定された雑音及び干渉分散値である。この雑音及び干渉分散値に基づき、この特定ＣｏＭＰ隣接セルに制限または推奨ＰＭＩが適用された時と適用されなかった時における雑音及び干渉分散変化量を
【００７４】
【化２２】
0005584708.tif 000023
のように表現することができる。すなわち、端末は、制限及び／または推奨するＰＭＩ、
【００７５】
【化２３】
0005584708.tif 000024
をサービング基地局に伝送してもよく、制限及び／または推奨するＰＭＩ、
【００７６】
【化２４】
0005584708.tif 000025
の全てを伝送してもよい。
【００７７】
さらに他の方法として、端末がＣｏＭＰ動作を行うセルに対する制限及び／または推奨するＰＭＩとＣｏＭＰ動作を行わない残りのセルに対する雑音及び干渉分散値
【００７８】
【化２５】
0005584708.tif 000026
に加えて、特定ＣｏＭＰ隣接セルに制限ＰＭＩが適用された時における雑音及び干渉分散値
【００７９】
【化２６】
0005584708.tif 000027
と、推奨するＰＭＩが適用された時における雑音及び干渉分散値
【００８０】
【化２７】
0005584708.tif 000028
をさらにサービング基地局に伝送することができる。または、端末はサービング基地局に、
【００８１】
【化２８】
0005584708.tif 000029
値の差値である
【００８２】
【化２９】
0005584708.tif 000030
を伝送することもできる。または、端末が制限及び／または推奨するＰＭＩ、
【００８３】
【化３０】
0005584708.tif 000031
情報の全てをサービング基地局に伝送することもできる。
【００８４】
さらに他の雑音及び干渉分散情報伝送方法として、端末は、ＣｏＭＰ動作を行うセルに対して制限及び／または推奨するＰＭＩと、ＣｏＭＰ動作を行わない残りのセルに対する雑音及び干渉分散値
【００８５】
【化３１】
0005584708.tif 000032
に加えて、特定ＣｏＭＰ隣接セルに対して制限または推奨するＰＭＩが適用された時における全体雑音及び干渉分散値
【００８６】
【化３２】
0005584708.tif 000033
または該
【００８７】
【化３３】
0005584708.tif 000034
と特定ＣｏＭＰ隣接セルに対して制限または推奨するＰＭＩが適用する前のＣｏＭＰ動作を行う全体セルに対する雑音及び干渉分散値との差値である
【００８８】
【化３４】
0005584708.tif 000035
をサービング基地局に伝送することができる。すなわち、端末は、
【００８９】
【化３５】
0005584708.tif 000036
値を追加的にサービング基地局に伝送することができる。ここで、
【００９０】
【化３６】
0005584708.tif 000037
値は、特定ＣｏＭＰ隣接セルに限定された雑音及び干渉分散値ではなく、端末に影響を及ぼす全体セルに対する雑音及び干渉分散値の変化量を意味する。
【００９１】
さらに他の雑音及び干渉分散情報伝送方法として、端末は、ＣｏＭＰ動作を行うセルに対して制限及び／または推奨するＰＭＩ、サービングセルの雑音及び干渉分散値
【００９２】
【化３７】
0005584708.tif 000038
及びＣｏＭＰ動作を行わない残りのセルに対する雑音及び干渉分散値
【００９３】
【化３８】
0005584708.tif 000039
に加えて、
【００９４】
【化３９】
0005584708.tif 000040
をサービング基地局に伝送することができる。または、端末は、特定ＣｏＭＰ隣接セルに対して制限及び／または推奨するＰＭＩ情報とＣＩＮＲ値である
【００９５】
【化４０】
0005584708.tif 000041
を伝送することができる。これを受信した基地局は、協力スケジューリング／ビームフォーミングを行う時に、ＰＭＩ情報、
【００９６】
【化４１】
0005584708.tif 000042
値に基づいて
【００９７】
【化４２】
0005584708.tif 000043
のようにＣＩＮＲを計算することができる。ジョイントプロセシングを行う時は、
【００９８】
【化４３】
0005584708.tif 000044
のようにＣＩＮＲを計算することができる。このような伝送方法によって、端末はサービング基地局に伝送するフィードバック情報量を減少させることができる。また、端末が制限または／及び推奨するＰＭＩが適用された時と適用されなかった時における雑音及び干渉分散変化量
【００９９】
【化４４】
0005584708.tif 000045
を用いてサービング基地局にＣＩＮＲ値を送ることもできる。すなわち、端末は、制限及び／または推奨するＰＭＩ、
【０１００】
【化４５】
0005584708.tif 000046
をサービング基地局に伝送することができる。または、端末が制限または／及び推奨するＰＭＩ、
【０１０１】
【化４６】
0005584708.tif 000047
をサービング基地局に伝送することができる。
【０１０２】
さらに他の雑音及び干渉分散情報伝送方法（Ｏｐｔｉｏｎ  ６）として、端末が単一セル動作において基地局に伝送するＣＱＩ値である
【０１０３】
【化４７】
0005584708.tif 000048
に基づき、ＣｏＭＰ動作を行うＣｏＭＰ隣接セルに関する情報を追加的に伝送することもできる。すなわち、端末は、ＣｏＭＰ動作を行う隣接セルに対する干渉レベル情報を追加的にサービング基地局に伝送することができる。端末が多重セルの信号強度を測定する時、サービングセルと隣接セル間に参照シンボルリソース要素とデータリソース要素との衝突などにより、ＣｏＭＰ動作を行わない隣接セルに対する雑音及び干渉分散値に該当する値を測定して求めることが困難な場合がある。したがって、単一セル動作においてフィードバック情報伝送のために測定した値をそのまま用いて、多重セルにおいてＣｏＭＰ動作時にフィードバック伝送をすることによって、多重セルベースに拡張することができ、より効率的にフィードバック情報を伝送することができる。その結果、多重セルの下で、ＣｏＭＰ隣接セルに対する干渉レベル測定に伴うオーバーヘッド、フィードバック情報伝送に伴うオーバーヘッドを相当低減できる。
【０１０４】
例えば、端末は、単一セルの下で、サービングセルに対するＣＱＩ値である
【０１０５】
【化４８】
0005584708.tif 000049
値に、サービングセルの信号の強度に正規化した隣接セルの信号の強度
【０１０６】
【化４９】
0005584708.tif 000050
をさらに伝送することができる。これにより、協力スケジューリング／ビームフォーミング（ＣＳ／ＣＢ）方式だけでなく、ジョイントプロセシング（ＪＰ）方式も円滑に行うことができる。
【０１０７】
以上説明した雑音及び干渉分散情報伝送方法は、例示的なものに過ぎない。端末は、それらの雑音及び干渉分散情報を様々な形態に組み合わせ、様々な形態の測定されたチャネル状態情報をサービング基地局にフィードバックすることができる。
【０１０８】
下記の表１は、端末がサービング基地局に伝送するために隣接セルから測定する測定情報値を例示する表である。
【０１０９】
【表１−１】
0005584708.tif 000051
【０１１０】
【表１−２】
0005584708.tif 000052
上記の表１に示す測定情報伝送は、例示的なものに過ぎず、端末は、測定した各種測定値を様々な形態に組み合わせてサービング基地局にフィードバックすることができる。
【０１１１】
図３は、本発明に係る端末及び基地局がＣｏＭＰ動作を行う概念を説明するための図である。
【０１１２】
セル境界に位置している端末に総９個の隣接セル（セルＡ乃至セルＩ）が存在し、そのうち、３個の隣接セル（セルＡ、セルＢ、セルＣ）が協力スケジューリング／ビームフォーミングまたはＰＭＩ制限及び／または推奨に関与するとしよう。セルＡに属したセル境界の端末は、セルＢとセルＣからそれぞれ干渉を受けており、セルＢ、セルＣに対して、ＰＭＩのうち、それぞれＷ２、Ｗ３を制限することを希望する場合を想定する。ここで、ＣｏＭＰ動作を行わない残り６個（セルＤ乃至セルＩ）で発生する雑音及び干渉分散値は
【０１１３】
【化５０】
0005584708.tif 000053
と表現可能である。端末が、セルＢに対して制限したいＰＭＩであるＷ２を伝送しようとする時、セルＢがＷ２を制限した時の雑音及び干渉分散値である
【０１１４】
【化５１】
0005584708.tif 000054
を共に伝送することができる。または、端末は、サービング基地局にセルＢがＷ２を制限しなかった時における雑音及び干渉分散値と制限した時における値との差値である
【０１１５】
【化５２】
0005584708.tif 000055
をさらに送ることもできる。この時、セルＢに制限ＰＭＩが適用された時における雑音及び干渉分散値は
【０１１６】
【化５３】
0005584708.tif 000056
と、推奨ＰＭＩが適用された時における雑音及び干渉分散値は
【０１１７】
【化５４】
0005584708.tif 000057
と表すことができ、それらの差値は
【０１１８】
【化５５】
0005584708.tif 000058
と表すことができる。また、セルＢに制限または推奨ＰＭＩが適用された時における全体セル（セルＡ乃至セルＩ）の雑音及び干渉分散値の変化量を
【０１１９】
【化５６】
0005584708.tif 000059
と表すことができる。
【０１２０】
端末は、このように様々な形態の測定値を、ＰＭＩ情報と共に様々な組み合わせの形態としてサービング基地局に伝送することができる。例えば、端末は、セルＢに対して制限しようとするＰＭＩであるＷ２及びＣｏＭＰ動作を行わない残り６個のセルで発生する雑音及び干渉分散値
【０１２１】
【化５７】
0005584708.tif 000060
に加えて、セルＢがＷ２を制限した時における雑音及び干渉分散値  
【０１２２】
【化５８】
0005584708.tif 000061
及び／または制限ＰＭＩによる雑音及び干渉分散値の変化量である  
【０１２３】
【化５９】
0005584708.tif 000062
をさらに含めてサービング基地局に伝送することができる。また、端末は、セルＢに対して制限しようとするＰＭＩであるＷ２、及び
【０１２４】
【化６０】
0005584708.tif 000063
の中から一つ以上の値を選択して共にサービング基地局に伝送することができる。
【０１２５】
セルＣの場合も同様、端末は、セルＣに対して制限しようとするＰＭＩであるＷ３及びＣｏＭＰ動作を行わない残りの６個のセルで発生する雑音及び干渉分散値
【０１２６】
【化６１】
0005584708.tif 000064
に加えて、セルＣがＷ３を制限した時における雑音及び干渉分散値
【０１２７】
【化６２】
0005584708.tif 000065
または制限ＰＭＩであるＷ３による雑音及び干渉分散値の変化量である
【０１２８】
【化６３】
0005584708.tif 000066
を伝送することができる。また、端末は、セルＣに対して制限しようとするＰＭＩであるＷ３、及び
【０１２９】
【化６４】
0005584708.tif 000067
の中から一つ以上の値を選択して共にサービング基地局に伝送することができる。
【０１３０】
このような情報を受けた基地局は、雑音及び干渉分散値に基づいて制限及び／または推奨しようとするＰＭＩが隣接セルで適用された時と適用されなかった時における差値である
【０１３１】
【化６４−１】
0005584708.tif 000068
を求めることができ、これは、ＰＭＩ順位決定における問題を解決し、効率的な協力スケジューリング／ビームフォーミング動作を可能にする。
【０１３２】
端末がサービング基地局にＣＳＩフィードバック情報を伝送する時にＣＳＩフィードバック情報を正規化（ｎｏｒｍａｌｉｚａｔｉｏｎ）して伝送することができる。
【０１３３】
端末は、推奨された伝送特性（例えば、ＣＱＩ、ＰＭＩ、ＲＩ）と他のチャネル状態情報（ＣＳＩ）をサービング基地局に報告することができる。一般に、ＣＳＩフィードバック方式には、量子化ＣＳＩフィードバック方式とアナログＣＳＩフィードバック方式がある。このようなＣＳＩフィードバック方式の種類をとわず、端末がサービングセルに報告するＣＳＩには、空間チャネル行列Ｈ（以下、‘チャネル行列Ｈ’または‘行列Ｈ’などと略す。）または空間チャネル共分散行列Ｒ（以下、‘共分散行列Ｒ’または‘行列Ｒ’などと略す。）が含まれてよい。すなわち、端末は、ＣＳＩフィードバック情報として空間チャネル行列Ｈまたは空間チャネル共分散行列Ｒ情報をサービング基地局に伝送でき、空間チャネル行列Ｈまたは空間チャネル共分散行列Ｒ情報の他に、雑音分散情報（例えば、干渉レベル）をさらに伝送することができる。すなわち、端末は、空間チャネル行列Ｈまたは空間チャネル共分散行列Ｒ値と共に雑音及び干渉分散をサービング基地局に伝送することができる。
【０１３４】
このように、端末がＣＳＩをより正確で效率的に伝送するためにＣＳＩを正規化して伝送することができる。この正規化方法は、チャネル行列Ｈ及び／または共分散行列Ｒの要素（ｃｏｍｐｏｎｅｎｔ）単位に行うこともでき、列（ｃｏｌｕｍｎ）単位のベクトルに関して行うこともできる。以下、列単位のベクトル正規化について述べる。
【０１３５】
ベクトル単位の正規化は、行列の各列のノルム（ｎｏｒｍ）値のうち最大値を用いて行うことができる。最大のノルム値を持つ列を用いてチャネル行列Ｈ及び／または共分散行列Ｒだけでなく、雑音及び干渉分散も正規化することができる。正規化した後、各列は２通りの方法で伝送することができる。
【０１３６】
第一に、端末は、ＣＳＩフィードバック情報と共に、正規化された各列のノルム値の重み係数（ｗｅｉｇｈｔ  ｆａｃｔｏｒ）をサービング基地局に送ることができる。基地局と端末は、一つのノルム値（例えば、ｎｏｒｍ＝１）に該当するコードブックを共有しており、サービング基地局は、端末から受けたチャネル行列Ｈ及び／または共分散行列Ｒから位相情報（ｐｈａｓｅ  ｉｎｆｏｒｍａｔｉｏｎ）を得ることができ、端末から受けた各列のノルム値の重み係数から、コンステレーション（ｃｏｎｓｔｅｌｌａｔｉｏｎ）上の大きさがわかる。このような重み係数値は、固有の値がそのまま伝送されてもよく、あらかじめ量子化した値の単位で伝送されてもよい。また、重み係数１を基準にして該当の値の変化量のみでも表現可能である。
【０１３７】
第二に、基地局と端末が複数個のノルム値に該当するコードブックをあらかじめ有しており、端末が伝送したチャネル行列Ｈ及び／または共分散行列Ｒから、位相情報だけでなく、コンステレーション上の大きさ情報も得ることができる。あらかじめ定義されたコードブックの数が多いほど、より正確な推定が可能になる。
【０１３８】
以上説明した端末が正規化したチャネル行列Ｈ及び／または共分散行列Ｒを伝送する場合を、例を挙げて説明する。基地局の送信アンテナが４個、端末の受信アンテナが４個である４×４ＭＩＭＯシステムを想定しよう。端末は、下記の数学式１のように表現された４×４チャネル行列Ｈをサービング基地局に伝送することができる。
【０１３９】
【数１】
0005584708.tif 000069
ここで、各列のノルム値をそれぞれ
【０１４０】
【化６５】
0005584708.tif 000070
としよう。チャネル行列Ｈは、行列の各列のノルム値のうち最大値である１番目の列におけるノルム値である２で正規化できる。このように正規化された各列のノルム値はそれぞれ、１、０．５、０．５、０．２５になり、端末は、１以外のノルム値に対する重み係数をサービング基地局に伝達することができる。
【０１４１】
端末がサービング基地局に重み係数を伝達する方法の他に、端末と基地局があらかじめ様々なノルム値に該当するコードブックを有しており、それに該当する値をマッピングすることによってもチャネル行列値がわかる。例えば、
【０１４２】
【化６６】
0005584708.tif 000071
のように、４つのノルム値に対するコードブックがあるとしよう。まず、チャネル行列Ｈを列のノルム値のうち最大のノルム値で正規化を行うことができる。上記の数学式１の例において、正規化後の１番目の列は、
【０１４３】
【化６７】
0005584708.tif 000072
のうちのいずれかの値にマッピングされ、２、３番目の列はそれぞれ、
【０１４４】
【化６８】
0005584708.tif 000073
のうちのいずれかの値にそれぞれマッピングされてよい。同様に、４番目の列は、
【０１４５】
【化６９】
0005584708.tif 000074
のうちのいずれかの値にマッピングされてよい。マッピング後には、端末は、該当のインデックスをサービング基地局にフィードバックすることができる。
【０１４６】
本発明は、多数の基地局のそれぞれのチャネル行列Ｈまたは共分散行列Ｒと、その他の基地局による雑音及び干渉分散値を伝送するものに拡張できる。ここで、正規化は、全てのチャネル行列における列のうちの最大のノルム値、または全ての共分散行列における列のうちの最大のノルム値を用いて行うことができる。
【０１４７】
図４は、本発明に係る端末装置の好適な実施例を示す構成図である。
【０１４８】
図４を参照すると、無線通信システムにおいて、ＣｏＭＰ動作を実行できる端末装置は、プロセッサ４１０、メモリーユニット４２０、伝送モジュール４３０及び受信モジュール４４０を備える。
【０１４９】
プロセッサ４１０は、測定モジュール４１１を含む。測定モジュール４１１は、一つ以上の隣接セルから受信した参照信号を用いて干渉レベルや雑音及び干渉分散値を測定することができる。
【０１５０】
メモリーユニット４２０は、基地局から受信した各種情報、及び測定モジュール４１１で測定された値を、所定期間記憶することができる。メモリーユニット４２０は、バッファー（図示せず）などの他の構成要素に取って代わってもよい。
【０１５１】
伝送モジュール４３０は、測定モジュール４１１で測定された干渉レベル情報または雑音及び干渉分散情報と、ＣｏＭＰ動作を行う特定隣接セルに対して制限または推奨したいＰＭＩ情報を、サービング基地局に伝送することができる。
【０１５２】
受信モジュール４４０は、サービング基地局などから制御情報、データなどの各種信号及びデータを受信する。
【０１５３】
以上開示された本発明の好適な実施例についての詳細な説明は、当業者が本発明を具現し実施できるように提供された。以上では本発明の好適な実施例を参照して説明したが、当該技術の分野における熟練した当業者には、本発明の領域を逸脱しない範囲内で本発明を様々に修正及び変更できるということが理解できる。例えば、当業者は、以上の実施例に記載された各構成を互いに組み合わせる方式で利用することができる。
【０１５４】
したがって、本発明は、ここに開示された実施形態に制限されるものではなく、ここに開示された原理及び新規な特徴と一致する最も広い範囲が与えられるものであろう。
【図１】
0005584708.tif 000075
【図２】
0005584708.tif 000076
【図３】
0005584708.tif 000077
【図４】
0005584708.tif 000078